(57)【要約】　　　（修正有）【課題】今までにない意匠性、装飾性、高級感、美感、デザイン性を備えた発光透過めっき製品の提供。【解決手段】少なくとも表面にめっき層１を形成した透明性を有する材料からなる基体と、該基体の内部に配置される光源部材６とを組み合わせてなり、非点灯時には金属光沢を備える一方、点灯時には光源部材からの光がめっき層を透過して発光する発光透過めっき製品である。光源部材が、ＬＥＤ、電球、蛍光灯、液晶表示素子、ＥＣ素子及びＥＬ素子から選ばれる１種又は２種以上である態様が好ましい。【選択図】図１
2004035997.tif 000002
【特許請求の範囲】
【請求項１】
少なくとも表面にめっき層を形成した透明性を有する材料からなる基体と、該基体の内部に配置される光源部材とを組み合わせてなり、該光源部材が非点灯時には金属光沢を備える一方、点灯時には光源部材からの光がめっき層を透過して発光することを特徴とする発光透過めっき製品。
【請求項２】
めっき層が、銀、銅、ニッケル、パラジウム、金、白金、ロジウム、スズ、コバルト、鉛及びルテニウムから選ばれる請求項１に記載の発光透過めっき製品。
【請求項３】
光源部材が、ＬＥＤ、電球、蛍光灯、液晶表示素子、ＥＣ素子及びＥＬ素子から選ばれる１種又は２種以上である請求項１又は２に記載の発光透過めっき製品。
【請求項４】
発光透過めっき製品が、ブレスレット、ペンダント、キーホルダー、指輪及び腕時計から選ばれるアクセサリーである請求項１から３のいずれかに記載の発光透過めっき製品。
【請求項５】
発光透過めっき製品が、ライトスタンド、ショーケース、オルゴール及び水槽から選ばれるインテリアである請求項１から３のいずれかに記載の発光透過めっき製品。
【発明の詳細な説明】
【０００１】
【発明の属する技術分野】
本発明は、発光透過めっき製品に関し、特に、光源部材が非点灯時には鮮やかな金属光沢を備える一方、点灯時には光源部材からの光がめっき層を透過して発光することにより、今までにない意匠性、装飾性、高級感、美感、デザイン性を備えた発光透過めっき製品に関する。
【０００２】
【従来の技術】
近年、ブレスレット、ペンダント、キーホルダー、指輪、腕時計等のアクセサリー、ライトスタンド、ショーケース、オルゴール、水槽等のインテリアに高級感、美感の向上を図る目的で、金属光沢を付与することが行われている。前記金属光沢を付与する方法としては、蒸着膜の形成及びプラスチックめっき技術等が知られている。前記プラスチックめっきは、プラスチック素材表面を無電解めっきで導電化した後、電気めっきする方法である。
【０００３】
しかしながら、金属光沢を付与するだけでは、意匠性、装飾性、高級感及び美感の付与、デザイン性の向上効果は十分ではなく、また、製品内部の美感を表現することは困難であり、更に、めっき層が薄すぎると中身が透けて見えてしまうという問題がある。
【０００４】
【発明が解決しようとする課題】
本発明は、前記要望に応え、従来における諸問題を解決し、以下の課題を解決することを目的とする。即ち、本発明は、光源部材が非点灯時には中身が見えず鮮やかな金属光沢を備える一方、点灯時には光源部材からの光がめっき層を透過して発光することにより、今までにない意匠性、装飾性、高級感、美感、デザイン性を備えた発光透過めっき製品を提供することを目的とする。
【０００５】
【課題を解決するための手段】
本発明者らは、前記課題を解決するため鋭意検討を重ねた結果、表面にめっき層を形成した透明性を有する材料からなる基体と、該基体の内部に配置された光源部材とを組み合わせることにより、光源部材が非点灯時には中身が見えず鮮やかな金属光沢を備える一方、点灯時には光源部材からの光がめっき層を透過して発光することにより、これらが相まって、今までにない意匠性、装飾性、高級感、美感、デザイン性を備えためっき製品が得られることを知見した。
【０００６】
即ち、前記課題を解決するための手段としては、下記の通りである。
＜１＞　少なくとも表面にめっき層を形成した透明性を有する材料からなる基体と、該基体の内部に配置される光源部材とを組み合わせてなり、該光源部材が非点灯時には金属光沢を備える一方、点灯時には光源部材からの光がめっき層を透過して発光することを特徴とする発光透過めっき製品である。
＜２＞　めっき層が、銀、銅、ニッケル、パラジウム、金、白金、ロジウム、スズ、コバルト、鉛及びルテニウムから選ばれる前記＜１＞に記載の発光透過めっき製品である。
＜３＞　光源部材が、ＬＥＤ、電球、蛍光灯、液晶表示素子、ＥＣ素子及びＥＬ素子から選ばれる１種又は２種以上である前記＜１＞又は＜２＞に記載の発光透過めっき製品である。
＜４＞　発光透過めっき製品が、ブレスレット、ペンダント、キーホルダー、指輪及び腕時計から選ばれるアクセサリーである前記＜１＞から＜３＞のいずれかに記載の発光透過めっき製品である。
＜５＞　発光透過めっき製品が、ライトスタンド、ショーケース、オルゴール及び水槽から選ばれるインテリアである前記＜１＞から＜３＞のいずれかに記載の発光透過めっき製品である。
【０００７】
また、本発明においては、更に下記の態様も好ましい。
＜６＞　めっき層の厚みが０．１μｍ〜１０μｍである前記＜１＞から＜５＞のいずれかに記載の発光透過めっき製品である。
＜７＞　めっき層が無電解めっきにより形成される前記＜１＞から＜６＞のいずれかに記載の発光透過めっき製品である。
＜８＞　光源部材が、白、青、緑、黄、橙及び赤のいずれかに多色発光する前記＜１＞から＜７＞のいずれかに記載の発光透過めっき製品である。
＜９＞　発光透過めっき製品が、センサーと連動させて点滅発光、回転しながら発光、又はオルゴールの音色と連動して発色する前記＜１＞から＜８＞のいずれかに記載の発光透過めっき製品である。
＜１０＞　めっき層表面に保護層及び／又は着色層を形成した前記＜１＞から＜９＞のいずれかに記載の発光透過めっき製品である。
【０００８】
【発明の実施の形態】
以下、本発明について更に詳しく説明する。
本発明の発光透過めっき製品は、少なくとも表面にめっき層を形成した透明性を有する材料からなる基体と、該基体の内部に配置された光源部材とを組み合わせてなり、更に必要に応じて、めっき層の表面には保護層、着色層、製品の表面にはアンダーコート層、電源、などを備えている。
【０００９】
−表面にめっき層を形成した透明性を有する材料−
前記透明性を有する材料としては、内部に配置される光源部材の発光を充分に透過できるものであれば特に制限はなく、無色透明、着色透明ばかりでなく、半透明、着色半透明、等であっても構わない。
【００１０】
前記透明性を有する材料としては、具体的には、ガラス及びプラスチック等が挙げられる。
前記ガラスとしては、例えば、ソーダ石灰ガラス、等が挙げられる。
前記プラスチックとしては、熱可塑性樹脂及び熱硬化性樹脂のいずれであってもよく、例えば、ポリオレフィン（ポリエチレン、ポリプロピレン等）、ポリ塩化ビニル、ポリスチレン、ポリエステル（ポリエチレンテレフタレート等）、アクリル樹脂［メチル−（メタ）アクリレート、（メタ）アクリル酸樹脂等］、ＡＢＳ樹脂、ポリカーボネート、ポリアミド、ポリアリレート、ポリアリルスルホン、ポリエーテルイミド、ポリエーテルスルホン、ポリメチルペンテン、ポリスルホン、スチレン系共重合体（アクリル−スチレン共重合体、ブタジエン−スチレン共重合体、スチレン−アクリロニトリル共重合体等）及びフッ素樹脂等が挙げられる。これらの樹脂のうちでは、高い透明性を有する非結晶性の熱可塑性樹脂が特に好ましい。また、機械的強度に優れるため、結晶性の樹脂であっても透明性を有するものであれば使用することができる。
【００１１】
なお、前記ガラス及びプラスチック等の透明性を有する材料には、外観性、装飾性を向上させるため着色剤を配合してもよい。前記着色剤としては、例えば、カーボンブラック、クロムバーミリオン、弁柄、クロム酸鉛、黄色硫化鉄、チタン黄、クロムグリーン、酸化クロム、群青及びコバルトブルー等の無機系顔料を使用することができる他、レーキッド４Ｒ等の有機系顔料も使用することができる。更に、容器の外表面に透明性を有する着色された塗料等、例えば、着色剤を添加したアクリル塗料等を塗布することによっても、今までにない外観を得ることができる。
【００１２】
前記発光めっき製品は、前記透明性を有する材料を用いて製造されるものであれば大きさ、形状等に特に制限はなく、目的に応じて適宜選定できるが、例えば、ブレスレット、ペンダント、キーホルダー、指輪及び腕時計から選ばれるアクセサリー；ライトスタンド、ショーケース、オルゴール及び水槽から選ばれるインテリア、などが好適である。
【００１３】
前記めっき層は、基体の少なくとも表面に支障なく付着することができ、光を透過することができるものであれば特に制限はなく、例えば、銀、銅、ニッケル、パラジウム、金、白金、ロジウム、スズ、コバルト、鉛、ルテニウム、などが挙げられるが、これらの中でも、銀は可視光反射率が高いため、より鮮やかな金属光沢を有する製品が得られるので好ましい。
【００１４】
前記めっき層は、少なくとも透明性を有する材料からなる基体の表面に形成されるが、該基体が容器状の場合には、内外表面に形成することもできる。めっき層は特に制限されないが、無電解めっきにより形成されることが好ましい。この無電解めっき法としては、酸化還元反応を利用した方法及び置換反応を利用した方法等を用いることができる。例えば、めっきされる金属のイオンが無電解めっき液中で自己触媒的な還元反応を示すことにより金、銀、銅、ニッケル及びパラジウム等をめっきする方法、及び銀鏡反応を利用した方法等を用いることができる。
【００１５】
具体的には、銀イオンを含む溶液と還元液の２液を２頭ガンを用いたスプレー等により、行なうことが好ましい。
ここで、銀イオンを含む溶液としては、硝酸銀のような水溶性銀塩の水溶液が用いられる。銀塩は錯塩であってもよい。例えば、硝酸銀水溶液に水酸化アンモニウムを加えて形成されるアンモニア性硝酸銀錯体の水溶液が好ましく用いられる。この場合、０．３〜３質量％の硝酸銀を含有する溶液が好ましい。銀イオン濃度が低すぎると銀の析出が遅くなって良好な銀めっき層が形成されにくくなり、逆に高すぎると銀の析出がアンダーコート層表面で円滑に行われないおそれがあるからである。
【００１６】
前記還元液に用いられる還元剤としては、例えば、グリオキサール、ホルムアルデヒド、硫酸ヒドラジン、水酸化ヒドラジン、等が挙げられる。この還元剤は還元反応により前記銀イオンを還元して、銀を析出させる働きをする。この還元剤の濃度は前記銀化合物水溶液の濃度に応じて対応して決定されるが、還元剤濃度は２〜１０質量％程度とすることが好ましい。還元剤の濃度が低すぎると、銀の析出が遅くなって良好な銀めっき層が形成されにくくなり、逆に高すぎると銀の析出がアンダーコート層表面で円滑に行われないおそれがあるからである。
【００１７】
前記銀イオン溶液及び還元液の温度は、１０〜２０℃程度とすることが好ましい。温度が低すぎると銀の析出が不十分となり、充分に析出させようとすると銀イオン溶液の濃度を上げなければならず不経済だからである。逆に温度が高くなりすぎると、銀の析出速度が速くなりすぎて、銀めっき層に曇り等を生じるからである。
【００１８】
なお、銀鏡反応を行った後、温水で洗浄して、銀鏡反応により生成した副生成物を除去することが好ましい。また、洗浄の水切りのために、高温で乾燥することが好ましい。
【００１９】
前記めっき層の厚みは、０．１μｍ〜１０μｍが好ましく、１μｍ〜５μｍがより好ましい。
前記めっき層の厚みが厚すぎると、発光時にめっき層を透過しずらくなり、光の明るさが足りなくなる場合があり、一方、めっき層の厚みが薄すぎると、非透過時にもめっき層が透過してしまい、中身が透けてしまう場合がある。
【００２０】
前記めっき層以外にも、めっき被膜を基体表面に強固に密着させ、剥離し難くさせるためのアンダーコート層を形成することが好ましい。また、めっき層の表面に耐候性、耐熱性、耐水性、耐傷性等の機能を有する保護層を形成することが好ましい。また、めっき層又は保護層の表面に塗料を用いて着色することができる。
【００２１】
前記アンダーコート層としては、特に制限はなく、目的に応じて適宜選定することができ、例えば、チタンアルコキシドを含有するプライマー剤を乾燥し、形成させたものであることが好ましい。このプライマー層は、水及び有機溶媒に溶解又は分散させることのできる樹脂を含むプライマー剤を容器の内表面に塗布し、乾燥させることにより形成させることができる。また、前記樹脂は、チタンアルコキシドの加水分解により生成するチタンに結合されたヒドロキシル基と、化学結合（水素結合等）することのできる官能基を有することが好ましい。このような樹脂としては、官能基として、エステル結合、エーテル結合、アミド結合、ウレタン結合、ウレア結合、イミド結合、水酸基、カルボキシル基、アミノ基及びメルカプト基等を有する、アルキッド樹脂、アミノアルキッド樹脂、アクリル樹脂、メラミン樹脂、ポリウレタン、ポリエステル、ポリアミド、エポキシ樹脂、フェノール樹脂及びセルロース樹脂等を使用することができる。
【００２２】
これらの樹脂の中でも、アルキッド樹脂及びアクリル樹脂等は常温で溶媒を除去し、乾燥させることができるため好ましい。特に、容器を構成する材料がプラスチックである場合は、アクリル樹脂を使用することが好ましい。これらの樹脂を含むプライマー剤からなるプライマー層は強靭であり、銀めっき層との密着性及び接着性に優れる。アクリル樹脂は、特に密着性及び透明性に優れるためより好ましい。また、アルキッド樹脂も、速乾性であって優れているが、容器の材質によっては密着性が低いことがある。そのため、密着性が十分であることを確認したうえで使用することが好ましい。
【００２３】
このプライマー剤に含まれる「チタンアルコキシド」としては、テトラ−ｉｓｏ−プロポキシチタン及びテトラ−ｎ−ブトキシチタン等の単量体からなるものを使用することができる。また、これらの単量体の数分子が脱水縮合反応することにより生成するテトラ−ｎ−ブトキシチタンダイマー等の重合体からなるものを用いることもできる。これらのうちでは、プライマー剤中において水分による分解が起こり難く、塗布後の加水分解速度を容易に調節することができるテトラ−ｎ−ブトキシチタンダイマーが特に好ましい。
なお、前記アンダーコート層を形成する方法は特に限定せず、従来より公知の塗装方法であるスプレー塗装、フローコート法、浸漬塗り、ローラ塗りなどを適宜採用することができる。
【００２４】
前記保護層としては、特に制限はなく、目的に応じて適宜選定することができ、例えば、溶媒を含まない液状樹脂、水又は有機溶媒に樹脂を溶解させた溶液、又は樹脂を分散させた分散液によって形成することができる。また、これらの樹脂は、基材を構成する材料の特性などによって選択することが好ましく、溶液又は分散液を金属層に塗布し、乾燥させ、保護層とする際の収縮が小さい樹脂であることが好ましい。このような樹脂としては、液状エポキシ樹脂、不飽和ポリエステル樹脂、フッ素樹脂、アクリル樹脂、アクリルシリコーン樹脂、アクリルウレタン樹脂、メラミン樹脂、シリコーン樹脂、変性シリコーン樹脂等を使用することができる。また、ウレタン樹脂、ポリエステル及びポリ塩化ビニリデン等を用いることもでき、これらは水性エマルジョン樹脂として使用することもできる。これら以外にも、有機−無機ハイブリッドコート剤、セラミックコート剤等も使用することができる。
【００２５】
前記着色剤としては、特に制限はなく、目的に応じて適宜選択することができ、イエロー原色、シアン原色、マゼンタ原色、ホワイト原色、クロ原色、これらの組み合わせ、などが挙げられる。
【００２６】
前記イエロー原色スラリー塗料の着色剤としては、黄色酸化鉄、チタン黄、ナフトールイエローＳ、ハンザイエロー１０Ｇ；５Ｇ；３Ｇ；Ｇ；ＧＲ；Ａ；ＲＮ；Ｒ、ピグメントエローＬ、ベンジジンエロー、ベンジジンエローＧ；ＧＲ、パーマネントエローＮＣＧ、バルカンファーストエロー５Ｇ；Ｒ、タートラジンレーキ、キノリンエローレーキ、アンスラゲンエロー６ＧＬ、パーマネントエローＦＧＬ；Ｈ１０Ｇ；ＨＲ、アンスラピリジンエロー、ノバパームイエローＨ２Ｇ、ハンザエロー３Ｒ、等が挙げられる。
【００２７】
前記シアン原色スラリー塗料の着色剤としては、郡青、紺青、コバルトブルー、セルリアンブルー、アルカリブルーレーキ、ピーコックブルーレーキ、ファナントーンブルー６Ｇ、ビクトリアブルーレーキ、フタロシアニンブルー、ファストスカイブルー、インダンスレンブルーＲＳ；ＢＣ、インジド、等が挙げられる。
【００２８】
前記マゼンタ原色スラリー塗料の着色剤としては、ベンガラ、パーマネントレッド４Ｒ；Ｆ２Ｒ；Ｆ４Ｒ；Ｆ５Ｒ；ＦＲＬ；ＦＲＬＬ；Ｆ４ＲＨ；ＦＧＲ；ＢＬ；Ｆ５ＲＫ、パラレッド、ファイヤーレッド、パラクロルオルトニトロアニリンレッド、リソールファーストスカーレットＧ、ブリリアントファーストスカーレット、ブリリアントファーストスカーレットＧ、ブリリアントカーミンＢＳ；６Ｂ、ファストスカーレットＶＤ、バルカンファストルビンＢ、バルカンファストピンクＧ、ライトファーストレッドトーナーＢ；Ｒ、パーマネントカーミンＦＢ；ＦＢＢ、ピラゾロンレッド、リソールレッド、レーキレッドＣ；Ｄ、アンソシンＢ、リソールルビンＧＫ、ピグメントスカーテット３Ｂ、ボルドー５Ｂ；１０Ｂ、トルイジンマルーン、パーマネントボルドーＦ２Ｒ、ヘリオボルドーＢＬ、ポンマルーンライト、ポンマルーンメジアム、エオシンレーキ、ローダミンレーキＢ；Ｙ、アリザリンレーキ、チオインジゴレッドＢ、チオインジゴマルーン、ＰＶカーミン；ＨＦ３Ｃ；ＨＦ４Ｃ；ＨＦ４Ｂ、ＨＲカーミン、Ｗａｔｃｈｕｎｇ　Ｒｅｄ　Ｍｎ、クロモフタールレッドＢＲ、モノライトファストレッドＹＳ、ＰＶレッドＨＦ２Ｂ、パリオゲンレッド３９１０、等が挙げられる。
【００２９】
前記ホワイト原色スラリー塗料の着色剤としては、酸化チタン、亜鉛華、リトポン、鉛白、硫化亜鉛、酸化アンチモン、等が挙げられる。
前記クロ原色スラリー塗料の着色剤としては、カーボンブラック、黒鉛、鉄黒、アニリンブラック、等が挙げられる。
【００３０】
これら着色剤の前記樹脂粒子中への添加量は、塗料中の全固形分質量に対して、通常、０．１〜３０質量％程度である。
【００３１】
−光源部材−
前記光源部材としては、透明性を有する材料からなる基体の内部に配置され、充分な発色強度を有するものであれば特に制限はなく、例えば、ＬＥＤ、電球、蛍光灯、液晶表示素子、ＥＣ素子、ＥＬ素子、などが挙げられ、これらを組み合わせて用いることもできる。
これらの中でも、ＬＥＤが普及性（価格が安価）、多色発光性、明るさ、点滅性、非発熱性、省スペース性、軽量性の点で好ましい。
【００３２】
前記光源部材の基体への配置としては、透明性を有する材料からなる基体の内部であれば特に制限はなく、目的に応じて適宜選定されるが、基体が容器状であれば、光源部材を内部に配置する。前記基体が棒状又はチューブ状であれば、内部に埋設又は配置することができる。
【００３３】
前記光源部材は、白、青、緑、黄、橙、赤、等から選ばれる多色発光するものであってもよく、また、各種センサーと連動させて点滅発光させたり、発光させながら回転させたり、オルゴールの音色と連動させて発色させることもできる。
【００３４】
前記透明性を有する材料からなる基体の内部には、上記光源部材以外にも、文字、ロゴ、キャラクター人形、反射部材、などを適宜配置することができる。
【００３５】
以上のような構成を有する本発明の発光透過めっき製品は、光源部材が非点灯時には鮮やかな金属光沢を備える一方、点灯時には光源部材からの光がめっき層を透過して発光することにより、今までにない意匠性、装飾性、高級感、美感、デザイン性を備えている。また、本発明の発光透過めっき製品は、めっき層が純粋な金属からなる皮膜により構成されていて導電性が非常に高いので、導電性材料及び電磁波シールド用材としても使用することもできる。
【００３６】
以上、本発明の発光透過めっき製品の一実施形態について詳細に説明したが、本発明は、前記実施の形態に限定されず、本発明の要旨を逸脱しない範囲で種々変更しても差し支えない。
【００３７】
【実施例】
以下、本発明の一実施例について図面を用いて更に具体的に説明するが、本発明は下記実施例に何ら限定されるものではない。
【００３８】
〔実施例１〕　アクセサリー（ブレスレット）
図１に示したように、透明樹脂（アクリル・ポリカーボネート）をリング状に成形し、表面全体にスプレー式無電解めっきにより厚さ２μｍに銀めっき層１を被覆形成した。また、発光体ケース（非透過部）２（スイッチ３、電池蓋４、電池５、発光体（ＬＥＤ）６）も銀めっき調色とした。なお、銀めっき層１の表面に保護層を形成することもできる。
【００３９】
得られたブレスレット１０は、スイッチ操作により、発光体が非点灯時には鮮やかな金属光沢を備えていた。一方、スイッチ３を操作して、点灯時には発光体からの光がめっき層を透過して、リング状部全体が今までにない意匠性、装飾性、高級感、美感、及びデザイン性を備えていた。
なお、実施例１のブレスレットでは、単色発光のＬＥＤを用いたが、多色のＬＥＤを用いることができる。また、点滅発光パターン機構を付加したり、振動センサーを取り付けて、振動によりスイッチのＯＮ−ＯＦＦを可能に構成することができる。
【００４０】
〔実施例２〕　アクセサリー（ペンダント）
図２に正面図、図３に側面図、図４に中心断面図で示したように、透明樹脂（アクリル・ポリカーボネート）を公知の成形法により十字形状に加工した。なお、基体の形状は特に制限はなく、キャラクターグッズ形状としたり、適宜調整することができ、また、基体表面に文字やロゴ等を描いても構わない。
この基体表面にスプレー式無電解めっきで厚さ２μｍに銀めっき層１１を被覆形成した。この場合、背面、側面（発光体１２の凹部を除く）の一部には発光時に外形をはっきりさせるため、光を透過しない白色塗料１６を塗布し、その上からめっきを施した。
なお、基体の電池１５、発光体１２、発光体ケース１３（非透過部）に、ペンダント及びキーホルダー用にはチェーン引っ掛け具１８を取り付ける。また、１７は指輪用のリングである。
【００４１】
得られたペンダント２０は、非点灯時には鮮やかな金属光沢を備えていた。一方、スイッチ１４を操作して、点灯時には発光体からの光がめっき層を透過して、基体全体が今までにない意匠性、装飾性、高級感、美感、デザイン性を備えていた。
なお、実施例２のペンダント２０では、発光体として単色光のＬＥＤを用いたが、多色のＬＥＤを用いることができる。また、点滅発光パターンを付加したり、振動センサーを取り付けて、振動によりスイッチのＯＮ−ＯＦＦを可能とすることができる。
【００４２】
〔実施例３〕　インテリア（ライトスタンド）
図５に示したように、透明樹脂（ポリエステル・塩化ビニル）を略球形状に成形し、表面全体にスプレー式無電解めっきで厚さ２μｍに銀めっき層２１を被覆形成した。
発光体ケース（非透過部）２３内に光源部材としてＬＥＤ２４を複数個配列し、ＡＣアダプタ２５から電源を供給可能に構成した。
【００４３】
得られたライトスタンド３０は、非点灯時には鮮やかな金属光沢を備えていた。一方、スイッチ２２を操作して、点灯時には光源部材からの光がめっき層を透過して、ライトスタンド全体が今までにない意匠性、装飾性、高級感、美感、デザイン性を備えていた。
なお、実施例３のライトスタンド３０では、多色のＬＥＤを用いることで点灯時の装飾性に変化を与えることができる。また、点滅発光パターンを付加したり、タイマーでのスイッチのＯＮ−ＯＦＦを可能とすることができる。赤外線センサーを取り付けて人が近づいた時に点灯するようにすることができる。
更に、ケースの内部にキャラクター人形を配置したり、アクリル樹脂板に文字、ロゴ等を描いた部材を配置し、点灯時に文字、ロゴ等を浮かび上がらせることができる。
【００４４】
【発明の効果】
以上説明したように、本発明によれば、光源部材が非点灯時には鮮やかな金属光沢を備える一方、点灯時には光源部材からの光がめっき層を透過して発光することにより、これらが相まって、今までにない意匠性、装飾性、高級感、美感、デザイン性を備えた、ブレスレット、ペンダント、キーホルダー、指輪及び腕時計から選ばれるアクセサリー；ライトスタンド、ショーケース、オルゴール及び水槽から選ばれるインテリア、などの発光透過めつき製品を提供することができる。
【図面の簡単な説明】
【図１】図１は、本発明の一実施例に係るブレスレットの概略斜視図である。
【図２】図２は、本発明の一実施例に係るペンダントの正面図である。
【図３】図３は、本発明の一実施例に係るペンダントの側面図である。
【図４】図４は、本発明の一実施例に係るペンダントの中心断面図である。
【図５】図５は、本発明の一実施例に係るライトスタンドの概略図である。
【符号の説明】
１、１１、２１　　めっき層
２、１３、２３　　ケース（非透過部）
３、１４、２２　　スイッチ
４　　電池蓋
５、１５　　電池
６、１２、２４　　発光体
１０　　ブレスレット
１６　　非透過塗膜
１７　　リング
１８　　固定具
２０　　ペンダント
２５　　ＡＣアダプタ
３０　　ライトスタンド
【図１】
2004035997.tif 000003
【図２】
2004035997.tif 000004
【図３】
2004035997.tif 000005
【図４】
2004035997.tif 000006
【図５】
2004035997.tif 000007